(57)【要約】【課題】本発明は、Ｘ線検査装置で容易に検知することが可能な粘着テープを提供することを目的とする。【解決手段】本発明の粘着テープは、柔軟性および伸縮性を有する基材２と、基材２の少なくとも一方の面に設けられる粘着剤層３とを備える粘着テープ１であって、粘着テープ１には、タングステン含有粉４が含まれることを特徴とする。【選択図】図１
2020103865.tif 000002
【特許請求の範囲】
【請求項１】
柔軟性および伸縮性を有する基材と、
前記基材の少なくとも一方の面に設けられる粘着剤層と
を備える粘着テープであって、
前記粘着テープには、タングステン含有粉が含まれることを特徴とする粘着テープ。
【請求項２】
前記基材の表面に、タングステン含有粉が含まれるタングステン含有層が設けられることを特徴とする請求項１記載の粘着テープ。
【請求項３】
前記基材の表面に、前記タングステン含有層が分散して設けられることを特徴とする請求項２記載の粘着テープ。
【請求項４】
前記基材に、タングステン含有粉が含まれることを特徴とする請求項１〜３のいずれか１項に記載の粘着テープ。
【請求項５】
前記粘着剤層に、タングステン含有粉が含まれることを特徴とする請求項１〜４のいずれか１項に記載の粘着テープ。
【請求項６】
前記粘着剤層は、
前記基材の少なくとも一方の面に設けられ、前記タングステン含有粉が含まれる第１の粘着剤層と、
前記第１の粘着剤層の、前記基材とは反対側の面に設けられ、前記タングステン含有粉が含まれない第２の粘着剤層と
を備えることを特徴とする請求項５記載の粘着テープ。
【発明の詳細な説明】
【技術分野】
【０００１】
本発明は、粘着テープに関する。
【背景技術】
【０００２】
たとえば絆創膏などに用いられる粘着テープは、粘着性、柔軟性および伸縮性を有するために、たとえば人体の皮膚などの貼付対象に容易に貼り付けることができるとともに、貼付対象の動きに追従して容易に変形するので、貼付対象に対する貼付状態を比較的に良好に維持しやすい。ところが、そのような粘着テープであっても、長時間の使用などによって粘着力が低下して、貼付対象から剥がれて脱落してしまうことがある。粘着テープは、たとえば、食品の製造や加工などを行なう食品工場において用いられると、貼付対象から脱落した場合に、食品に異物として混入する可能性がある。
【０００３】
食品の製造や加工などを行なう食品工場において、粘着テープなどの異物が食品に混入することは、衛生上の問題から、回避すべき重要な課題である。したがって、食品工場においては、まず、食品に異物が混入するのを回避することが求められるが、たとえ食品に異物が混入したとしても、食品の出荷前に異物を検出することができれば、異物が混入した食品の流通を回避することができる。そのような観点から、貼付対象から脱落して食品に混入したとしても容易に検出することができるように、たとえば特許文献１には、磁性材などにより構成された金属紛体が構成要素の一部として形成された粘着テープが開示されている。特許文献１の粘着テープは、その一部または全部が食品に混入したとしても、磁性材などにより構成された金属粉体が金属探知機に反応することを利用して、金属探知機により検知することができる。
【先行技術文献】
【特許文献】
【０００４】
【特許文献１】実公平３−１３３０４号公報
【発明の概要】
【発明が解決しようとする課題】
【０００５】
金属探知機による異物の検知は、低コストで実現可能であるという理由により、これまで広く採用されてきた。しかし、近年では、食品への異物混入をより確実に検知するために、より精度の高いＸ線検査装置を採用する事例が多くなってきている。
【０００６】
ところが、特許文献１に開示されるような磁性材などにより構成される金属粉末は、Ｘ線に対する感度が低いために、Ｘ線検査装置で検知するためには、粘着テープに大量に含ませる必要がある。金属粉末を大量に含ませることにより、製造が困難であるだけでなく、粘着テープが脆くなるため、使用中も破損しやすくなってしまう。
【０００７】
本発明は、上述した問題に鑑みなされたもので、Ｘ線検査装置で容易に検知することが可能な粘着テープを提供することを目的とする。
【課題を解決するための手段】
【０００８】
本発明の粘着テープは、柔軟性および伸縮性を有する基材と、前記基材の少なくとも一方の面に設けられる粘着剤層とを備える粘着テープであって、前記粘着テープには、タングステン含有粉が含まれることを特徴とする。
【０００９】
また、前記基材の表面に、タングステン含有粉が含まれるタングステン含有層が設けられることが好ましい。
【００１０】
また、前記基材の表面に、前記タングステン含有層が分散して設けられることが好ましい。
【００１１】
また、前記基材に、タングステン含有粉が含まれることが好ましい。
【００１２】
また、前記粘着剤層に、タングステン含有粉が含まれることが好ましい。
【００１３】
また、前記粘着剤層は、前記基材の少なくとも一方の面に設けられ、前記タングステン含有粉が含まれる第１の粘着剤層と、前記第１の粘着剤層の、前記基材とは反対側の面に設けられ、前記タングステン含有粉が含まれない第２の粘着剤層とを備えることが好ましい。
【発明の効果】
【００１４】
本発明によれば、Ｘ線検査装置で容易に検知することが可能な粘着テープを提供することができる。
【図面の簡単な説明】
【００１５】
【図１】本発明の第１実施形態に係る粘着テープを含む絆創膏を示す図であり、（ａ）は、絆創膏の下面図であり、（ｂ）は、（ａ）のＩ−Ｉ線断面図である。
【図２】本発明の第２実施形態に係る粘着テープを含む絆創膏を示す図であり、（ａ）は、絆創膏の上面図であり、（ｂ）は、（ａ）のＩＩ−ＩＩ線断面図である。
【図３】本発明の第３実施形態に係る粘着テープを含む絆創膏の断面図である。
【図４】本発明の第４実施形態に係る粘着テープを含む絆創膏の断面図である。
【図５】本発明の第５実施形態に係る粘着テープを含む絆創膏の断面図である。
【図６】本発明の第６実施形態に係る粘着テープを含む絆創膏の断面図である。
【図７】本発明の第７実施形態に係る粘着テープを含む絆創膏の断面図である。
【発明を実施するための形態】
【００１６】
以下、添付図面を参照して、本発明のいくつかの実施形態に係る粘着テープを説明する。図１〜図７はそれぞれ、本発明の第１〜第７実施形態に係る粘着テープを含む絆創膏を示している。ただし、これらの実施形態は例示に過ぎず、本発明の粘着テープは以下の例に限定されることはない。
【００１７】
第１〜第７実施形態の粘着テープ１は、図１〜図７に示されるように、柔軟性および伸縮性を有する基材２と、基材２の少なくとも一方の面に（直接または間接的に）設けられる粘着剤層３とを備えている。粘着テープ１は、人体の皮膚などの貼付対象に粘着剤層３が粘着することにより、貼付対象に貼り付けられて使用される。粘着テープ１は、図示されるように、粘着剤層３に貼り付けられる吸収パッドＰとともに、絆創膏Ｂを構成することができる。絆創膏Ｂは、粘着テープ１を人体の皮膚に貼り付けることにより、人体の皮膚の傷口に吸収パッドＰを貼り付けることができる。粘着テープ１は、通気性を良くするために、複数の通気孔（図示せず）が設けられてもよい。粘着テープ１は、複数の通気孔を備えることにより、皮膚が蒸れて湿潤状態となるのを抑制することができる。ただし、粘着テープ１は、貼付対象に貼り付けられて使用される用途であれば、絆創膏Ｂの構成要素としての用途に限定されることはなく、たとえば、人体の関節の動きを制限するためのテーピングなどの他の用途にも用いることができる。粘着テープ１は、特に、貼付対象から脱落した際にＸ線検査装置により検知する必要のある、食品の製造や加工などを行なう食品工場などにおいて、貼付対象に貼り付ける必要のある用途に好適に用いられる。
【００１８】
基材２は、少なくとも一方の面に設けられる粘着剤層３を支持し、貼付対象に粘着剤層３を介して貼り付けられる。基材２は、フィルムや、織物、編物、不織布などの布帛、またはそれらの組み合わせにより、シート状に形成される。基材２は、柔軟性および伸縮性を有するように形成されるので、人体の皮膚など、貼り付けられた後に形状が変化する貼付対象に貼り付けられたとしても、貼付対象の形状変化に追従して容易に変形することができ、貼付対象に対する貼付状態を比較的長時間に亘って良好に維持することができる。
【００１９】
基材２に用いられるフィルムとしては、特に限定されることはなく、ポリウレタン、ポリエステル、塩化ビニル、オレフィン、ポリカーボネート、ポリサルフィン、ポリフェニレンサルファイド、ポリイミド、エラストマーなどの合成樹脂、および／または、ウレタンゴム、シリコンゴム、エチレンプロピレンゴム、ニトリルゴム、水素化ニトリルゴム、スチレンプロピレンゴム、天然ゴムなどのゴムを成分とするフィルムを用いることができる。
【００２０】
基材２に用いられる布帛としては、特に限定されることはなく、ポリエステル繊維、ポリアクリル繊維、ポリウレタン繊維、ナイロン繊維、レーヨン繊維などの合成繊維、および／または、毛、綿、麻、絹などの天然繊維からなる不織布、織布または編布を用いることができる。
【００２１】
粘着剤層３は、貼付対象に粘着し、基材２を貼付対象に貼り付ける。粘着剤層３は、図１〜図７に示されるように、基材２の表面の全体に亘って連続的に設けられている。しかし、粘着剤層３は、基材２を貼付対象に貼り付けることができればよく、基材２の表面に部分的に、または分散して設けられてもよい。粘着剤層３を構成する粘着剤としては、特に限定されることはなく、天然ゴム系粘着剤、合成ゴム系粘着剤、アクリル系粘着剤、ウレタン系粘着剤、シリコーン系粘着剤などの公知の粘着剤を用いることができる。
【００２２】
粘着テープ１には、図１〜図７に示されるように、タングステンを含むタングステン含有粉４が含まれている。粘着テープ１は、Ｘ線に対する感度の高いタングステン含有粉４を含むことにより、従来の鉄系の磁性粉を含む粘着テープと比べて、Ｘ線検査装置で容易に検知することができる。したがって、粘着テープ１は、食品の製造や加工などを行なう食品工場において、貼付対象から脱落したとしても、Ｘ線検査装置で容易に検知することができるので、食品への混入を抑制することができる。さらに、従来の鉄系の磁性粉と比べて、タングステン含有粉４の含有量が少なくてもＸ線検査装置で検知することができるので、タングステン含有粉４の含有量を少なく抑えることができ、粘着テープ１の破断強度を高いレベルで維持することができる。
【００２３】
タングステン含有粉４は、タングステンを含む粉（粒子）であり、たとえば、金属タングステン粉、酸化タングステン（ＷＯ3など）粉、炭化タングステン粉、窒化タングステン粉、またはそれらの混合粉などである。その中でも、金属タングステン粉または酸化タングステン粉が好適に用いられる。タングステン含有粉４は、粘着テープ１に含ませることができればよく、その大きさ、形状、含有量などは特に限定されることはない。
【００２４】
タングステン含有粉４の粒径は、特に限定されることはなく、たとえば０．１〜５０μｍとすることができるが、粘着テープ１内でのタングステン含有粉４の分散性や、タングステン含有粉４を含む粘着テープ１の破断強度の観点から、０．４〜１０μｍが好ましく、０．６〜４μｍがさらに好ましく、１〜３μｍがよりさらに好ましい。
【００２５】
タングステン含有粉４の粒径分布は、特に限定されることはないが、粘着テープ１内でタングステン含有粉４の分散性を高めるために、レーザー回折法による粒径分布測定によって求められる粒径分布の広がりを示す指標である［（ｄ９０−ｄ１０）／ｄ５０］が、２．０以下であることが好ましい。タングステン含有粉４の粒径分布を上記範囲とすることにより、粘着テープ１中でのタングステン含有粉４の分散性を高めることができ、タングステン含有粉４を含む粘着テープ１の加工性を向上させることができる。そのような観点から、タングステン含有粉４の［（ｄ９０−ｄ１０）／ｄ５０］は、１．６以下であることがさらに好ましく、１．２以下であることがよりさらに好ましい。
【００２６】
タングステン含有粉４の形状は、特に限定されることはないが、タングステン含有粉４の二次凝集を抑えて、粘着テープ１内での分散性を高めるために、略球形であることが好ましい。タングステン含有粉４の形状を略球形とすることで、粘着テープ１の成形時に、粘着テープ１中でタングステン含有粉４同士が接触しても互いに接着することが抑制され、たとえ接着しても分離しやすいので、タングステン含有粉４の凝集が抑制され、タングステン含有粉４の凝集部分における粘着テープ１の破断を抑制できる。
【００２７】
粘着テープ１に含まれるタングステン含有粉４の含有量は、特に限定されることはなく、Ｘ線検査装置によって検知可能な範囲で適宜設定が可能である。たとえば、粘着テープ１に含まれるタングステン含有粉４の含有量は、１質量％以上であることが好ましく、３質量％以上であることがさらに好ましく、５質量％以上であることがよりさらに好ましい。また、たとえば、粘着テープ１の破断強度を高く保つという観点から、粘着テープ１に含まれるタングステン含有粉４の含有量は、４０質量％以下であることが好ましく、２５質量％以下であることがさらに好ましい。
【００２８】
タングステン含有粉４は、粘着テープ１の全体に亘って含有されていればよく、その含有形態は特に限定されることはない。たとえば、図１〜図３に示される第１〜第３実施形態のように、基材２の表面に、タングステン含有粉４が含まれるタングステン含有層５が設けられてもよいし、図４に示される第４実施形態のように、基材２に、タングステン含有粉４が含まれていてもよいし、または、図５に示される第５実施形態のように、それらの組み合わせであってもよい。また、図６および図７に示される第６および第７実施形態のように、粘着剤層３に、タングステン含有粉４が含まれていてもよい。
【００２９】
タングステン含有層５が基材２の表面に設けられる第１〜第３実施形態においては、たとえば、図１および図２に示される第１および第２実施形態では、基材２の一方の面（図１（ｂ）および図２（ｂ）中、上側の面）に粘着剤層３が設けられ、基材２の他方の面（図１（ｂ）および図２（ｂ）中、下側の面）にタングステン含有層５が設けられる。また、図３に示される第３実施形態では、タングステン含有層５は、基材２と粘着剤層３との間の基材２の一方の面に設けられ、その場合、粘着剤層３は、タングステン含有層５を介して間接的に基材２の一方の面に設けられる。
【００３０】
タングステン含有層５は、タングステン含有粉４のみの集合体によって形成されてもよいし、図１〜図３に示される第１〜第３実施形態のように、タングステン含有粉４が分散された母材によって形成されてもよい。タングステン含有層５は、図１および図３に示される第１および第３実施形態のように、基材２の表面の全体に亘って連続的に形成されていてもよいし、図２に示される第２実施形態のように、基材２の表面の全体に亘って分散されて形成されてもよい。図２に示される第２実施形態では、タングステン含有層５が、基材２の表面に分散して設けられることにより、タングステン含有層５を表面に形成することによる基材２の柔軟性および伸縮性の低下を抑制することができる。
【００３１】
タングステン含有層５は、タングステン含有粉４のみの集合体によって形成する場合には、たとえば、タングステン含有粉４を分散させた揮発性溶液を基材２の表面に塗布して、揮発性溶液を揮発させることによって、タングステン含有粉４のみを基材２表面に堆積させることによって形成することができる。あるいは、タングステン含有層５は、スパッタリングなどの公知の成膜技術を用いて形成することもできる。
【００３２】
タングステン含有層５は、タングステン含有粉４を分散させた母材により形成する場合には、母材原料にタングステン含有粉４を混合したものを基材２の表面に塗布して形成することもできるし、母材原料にタングステン含有粉４を混合してフィルム状に形成したものを基材２の表面に接着することにより形成することもできる。母材原料としては、合成樹脂および／もしくはゴム、合成繊維および／もしくは天然繊維、または、それらの組み合わせを用いることができる。
【００３３】
より具体的には、タングステン含有層５は、たとえば、合成樹脂および／またはゴムとタングステン含有粉４とを混合してできる液状体を基材２の表面に塗布して乾燥させることにより形成することができる。あるいは、タングステン含有層５は、合成樹脂および／またはゴムとタングステン含有粉４を混合してできる液状体をインクジェット方式で基材２の表面に吹き付けることにより形成することができる。あるいは、タングステン含有層５は、合成樹脂および／またはゴムとタングステン含有粉４を混合してフィルム状に形成したものを熱融着や接着剤などの公知の接着手段により基材２の表面に接着することにより形成することができる。あるいは、タングステン含有層５は、タングステン含有粉４を含む合成繊維および／または天然繊維からなる不織布、織布または編布を熱融着や接着剤などの公知の接着手段により基材２の表面に接着することにより形成することができる。
【００３４】
タングステン含有層５を形成する母材に含まれる合成樹脂およびゴムとしては、それぞれ、特に限定されることはなく、たとえば、ポリウレタン、ポリエステル、塩化ビニル、オレフィン、ポリカーボネート、ポリサルフィン、ポリフェニレンサルファイド、ポリイミド、エラストマーなどの合成樹脂、および、ウレタンゴム、シリコンゴム、エチレンプロピレンゴム、ニトリルゴム、水素化ニトリルゴム、スチレンプロピレンゴム、天然ゴムなどのゴムを用いることができる。
【００３５】
タングステン含有層５を形成する母材に含まれる合成繊維および天然繊維としては、それぞれ、特に限定されることはなく、ポリエステル繊維、ポリアクリル繊維、ポリウレタン繊維、ナイロン繊維、レーヨン繊維などの合成繊維、および、毛、綿、麻、絹などの天然繊維を用いることができる。
【００３６】
タングステン含有粉４が基材２に含まれる第４実施形態（図４参照）においては、予め形成された基材２の表面からタングステン含有粉４を含浸させることによって、基材２にタングステン含有粉４を含ませてもよいし、基材２の構成材料にタングステン含有粉４を混合したもので基材２を形成することによって、基材２にタングステン含有粉４を含ませてもよいし、またはそれらの組み合わせによって、基材２にタングステン含有粉４を含ませてもよい。
【００３７】
基材２の表面からタングステン含有粉４を含浸させる方法としては、たとえば、合成繊維および／または天然繊維からなる不織布、織布または編布として予め形成された基材２の表面に、タングステン含有粉４を含む液状体を塗布することにより、合成繊維および／または天然繊維の隙間にタングステン含有粉４を含浸させて、固着させる方法が挙げられる。
【００３８】
基材２の構成材料とタングステン含有粉４を混合したもので基材２を形成する方法としては、たとえば、基材２の構成材料である合成樹脂および／またはゴムとタングステン含有粉４とを混合してできる混合物からフィルム状の基材２を形成する方法や、タングステン含有粉４を含む合成繊維および／または天然繊維により不織布、織布または編布として基材２を形成する方法が挙げられる。
【００３９】
タングステン含有粉４が基材２に含まれるとともに、タングステン含有層５が基材２の表面に設けられる第５実施形態（図５参照）においては、第４実施形態の説明で示された基材２に、第１〜第３実施形態の説明で示されたタングステン含有層５が設けられることによって、粘着テープ１が形成される。
【００４０】
タングステン含有層４が粘着剤層３に含まれる第６および第７実施形態においては、たとえば、図６に示される第６実施形態では、タングステン含有粉４を含む粘着剤層３が単層として設けられ、また、図７に示される第７実施形態では、タングステン含有粉４を含む層３１と含まない層３２とを備える複層として粘着剤層３が設けられる。粘着剤層３は、もともと粘性を有する材料により形成されるので、タングステン含有粉４を混合しやすく、混合後の加工性にも優れる。したがって、粘着テープ１は、粘着剤層３にタングステン含有粉４を含有させることで、他の構成要素に含有させる場合と比べて、その製造が容易となる。
【００４１】
第６実施形態の粘着テープ１では、粘着剤層３は、図６に示されるように、基材２の一方の面（図６中、上側の面）に、タングステン含有粉４を含む単層として設けられる。粘着剤層３は、タングステン含有粉４を含ませることができれば、その形成方法は特に限定されることはない。粘着剤層３は、たとえば、タングステン含有粉４を混合した粘着剤を基材２の一方の面に設けることで形成することもできるし、基材２の一方の面に設けられた粘着剤層に、タングステン含有粉４を含む液状体を塗布することにより、タングステン含有粉４を含浸させることで形成することもできる。
【００４２】
第７実施形態の粘着テープ１では、粘着剤層３は、図７に示されるように、タングステン含有粉４が含まれる第１の粘着剤層３１と、タングステン含有粉４が含まれない第２の粘着剤層３２とを備える。第１の粘着剤層３１は、基材２の少なくとも一方の面に設けられ、第２の粘着剤層３２は、第１の粘着剤層３１の、基材２とは反対側の面に設けられる。図７から理解できるように、タングステン含有粉４が含まれない第２の粘着剤層３２は、粘着剤層３の、貼付対象に貼り付けられる側に設けられる。タングステン含有粉４が含まれない第２の粘着剤層３２が、貼付対象に貼り付けられる側に設けられることで、粘着テープ１を貼付対象に貼り付けたときにタングステン含有粉４が貼付対象に与える影響を小さくすることができる。ただし、第１および第２の粘着剤層３１、３２は、図示された積層順に限定されることはなく、図示された例とは逆の順に積層されてもよい。
【００４３】
第７実施形態における粘着剤層３は、第１および第２の粘着剤層３１、３２を互いに積層することができれば、その形成方法は特に限定されない。粘着剤層３は、たとえば、基材２の一方の面に第１の粘着剤層３１を設けた後に第２の粘着剤層３２を設けることで形成してもよいし、第１および第２の粘着剤層３１、３２を予め互いに積層してから基材２の一方の面に設けることで形成してもよい。
【００４４】
第１および第２の粘着剤層３１、３２を構成する粘着剤としては、特に限定されることはなく、天然ゴム系粘着剤、合成ゴム系粘着剤、アクリル系粘着剤、ウレタン系粘着剤、シリコーン系粘着剤などの公知の粘着剤を用いることができる。
【００４５】
タングステン含有粉４が含まれる第１の粘着剤層３１は、特に限定されることはなく、たとえば、タングステン含有粉４を混合した粘着剤を基材２の一方の面に設けることで形成することもできるし、基材２の一方の面に設けられた粘着剤層に、タングステン含有粉４を含む液状体を塗布することにより、タングステン含有粉４を含浸させることで形成することもできる。
【００４６】
以上に説明した第１〜第７実施形態の粘着テープ１は、それぞれ単独で構成することもできるし、互いに組み合わせて構成することもできる。
【符号の説明】
【００４７】
１  粘着テープ
２  基材
３  粘着剤層
３１  第１の粘着剤層
３２  第２の粘着剤層
４  タングステン含有粉
５  タングステン含有層
Ｂ  絆創膏
Ｐ  吸収パッド
【図１】
2020103865.tif 000003
【図２】
2020103865.tif 000004
【図３】
2020103865.tif 000005
【図４】
2020103865.tif 000006
【図５】
2020103865.tif 000007
【図６】
2020103865.tif 000008
【図７】
2020103865.tif 000009